(57)【要約】【課題】ユーザの挙動に応じて操作対象となる装置の動作を制御する。【解決手段】本実施形態に係る電子機器は、ユーザの身体に装着可能な機器本体を有する。この電子機器は、上記機器本体の動きを検出するセンサと、所定の範囲内で端末装置との間で無線通信を行う通信手段と、上記センサの信号状態と上記通信手段の通信状態とに基づいて、ユーザの挙動に応じて上記端末装置の動作を制御する制御手段とを備える。【選択図】      図４
2015172884.tif 000002
【特許請求の範囲】
【請求項１】
ユーザの身体に装着可能な機器本体を有する電子機器であって、
上記機器本体の動きを検出するセンサと、
所定の範囲内で端末装置との間で無線通信を行う通信手段と、
上記センサの信号状態と上記通信手段の通信状態とに基づいて、ユーザの挙動に応じて上記端末装置の動作を制御する制御手段と
を具備した電子機器。
【請求項２】
上記制御手段は、
上記センサの信号状態に基づいてユーザの挙動を検出する挙動検出手段と、
上記通信手段の通信状態に基づいてユーザの上記端末装置に対する接近状態を検出する接近検出手段と、
上記挙動検出手段によってユーザが何かに触れた状態が検出され、かつ、上記接近検出手段によってユーザが上記端末装置の近くにいることが検出された場合に、ユーザが触れている対象を上記端末装置であると判断し、上記端末装置のロック状態を解除させる端末制御手段と
を有する請求項１記載の電子機器。
【請求項３】
上記端末制御手段は、
上記挙動検出手段によってユーザが現在位置から所定距離以上移動した状態が検出され、かつ、上記接近検出手段によってユーザが上記端末装置の近くにいることが検出された場合に、ユーザが上記端末装置から離れたと判断し、上記端末装置の操作をロックさせる請求項２記載の電子機器。
【請求項４】
ユーザの個人情報を記憶した記憶手段をさらに具備し、
上記端末制御手段は、
上記挙動検出手段によってユーザが何かに触れた状態が検出され、かつ、上記接近検出手段によってユーザが上記端末装置の近くにいることが検出された場合に、ユーザが触れている対象を上記端末装置であると判断し、上記記憶手段に記憶された上記個人情報を上記端末装置に送信し、当該ユーザに対応した処理を実行させる請求項２記載の電子機器。
【請求項５】
上記センサは、少なくともｘ，ｙ，ｚ方向の動きを検出可能な加速度センサからなる請求項１記載の電子機器。
【請求項６】
上記機器本体は、ユーザの手首に装着可能な腕時計型の形状を有する請求項１記載の電子機器。
【請求項７】
ユーザの身体に装着可能な機器本体を有する電子機器と、この電子機器と通信により接続される端末装置とを備えたシステムであって、
上記電子機器は、
上記機器本体の動きを検出するセンサと、
所定の範囲内で端末装置との間で無線通信を行う第１の通信手段と、
上記センサの信号状態と上記第１の通信手段の通信状態とに基づいて、ユーザの挙動に応じて上記端末装置の動作を制御する第１の制御手段とを具備し、
上記端末装置は、
所定の範囲内で上記電子機器との間で無線通信を行う第２の通信手段と、
この第２の通信手段を通じて上記電子機器からの情報を受信し、その情報に応じた処理を実行する第２の制御手段と
を具備したシステム。
【請求項８】
上記電子機器において、
上記第１の制御手段は、
上記センサの信号状態に基づいてユーザの挙動を検出する挙動検出手段と、
上記第１の通信手段の通信状態に基づいてユーザの上記端末装置に対する接近状態を検出する接近検出手段と、
上記挙動検出手段によってユーザが何かに触れた状態が検出され、かつ、上記接近検出手段によってユーザが上記端末装置の近くにいることが検出された場合に、ユーザが触れている対象を上記端末装置であると判断し、ユーザが上記端末装置に触れたことを示す情報を上記第１の通信手段から送信する端末制御手段とを有し、
上記端末装置において、
上記第２の制御手段は、
上記第２の通信手段を通じて上記端末制御手段からユーザが上記端末装置に触れたことを示す情報を受信したときに上記端末装置のロック状態を解除するための処理を実行する処理実行手段を有する請求項７記載のシステム。
【請求項９】
上記端末装置において、
上記処理実行手段は、
上記第２の通信手段を通じて上記端末制御手段からユーザが上記端末装置に触れたことを示す情報を受信したときに、上記第２の通信手段にて検出されているシグナル強度が一定レベル以上の場合に上記端末装置のロック状態を解除するための処理を実行する請求項８記載のシステム。
【請求項１０】
上記端末装置において、
上記処理実行手段は、
上記第２の通信手段を通じて上記端末制御手段からユーザが上記端末装置に触れたことを示す情報を受信したときに、ユーザの入力操作を確認できた場合に上記端末装置のロック状態を解除するための処理を実行する請求項８記載のシステム。
【請求項１１】
上記端末装置において、
上記処理実行手段は、
上記第２の通信手段を通じて上記端末制御手段からユーザが上記端末装置に触れたことを示す情報を受信したときに、予め登録された文字の入力を確認できた場合に上記端末装置のロック状態を解除するための処理を実行する請求項８記載のシステム。
【請求項１２】
上記電子機器において、
上記端末制御手段は、
上記挙動検出手段によって予め登録された文字を描く動きを確認できた場合にユーザが上記端末装置に触れたことを示す情報を上記第１の通信手段から送信し、
上記端末装置において、
上記処理実行手段は、
上記第２の通信手段を通じて上記端末制御手段からユーザが上記端末装置に触れたことを示す情報を受信したときに、上記文字の入力を確認できた場合に上記端末装置のロック状態を解除するための処理を実行する請求項８記載のシステム。
【請求項１３】
上記電子機器において、
上記端末制御手段は、
上記挙動検出手段によってユーザが現在位置から所定距離以上移動した状態が検出され、かつ、上記接近検出手段によってユーザが上記端末装置の近くにいることが検出された場合に、ユーザが上記端末装置から離れたと判断し、ユーザが上記端末装置に触れたことを示す情報を送信し、
上記端末装置において、
上記処理実行手段は、
上記端末制御手段からユーザが上記端末装置から離れたことを示す情報を受信したときに、入力操作がない状態を確認できた場合に上記端末装置の操作をロックするための処理を実行する請求項８記載のシステム。
【請求項１４】
上記電子機器は、
ユーザの個人情報を記憶した記憶手段をさらに具備し、
上記端末制御手段は、
上記挙動検出手段によってユーザが何かに触れた状態が検出され、かつ、上記接近検出手段によってユーザが上記端末装置の近くにいることが検出された場合に、ユーザが触れている対象を上記端末装置であると判断し、ユーザが上記端末装置に触れたことを示す情報と共に上記記憶手段に記憶された上記個人情報を上記端末装置に送信し、
上記端末装置は、
上記個人情報に基づいてユーザを認証する認証手段をさらに備え、
上記処理実行手段は、
上記端末制御手段からユーザが上記端末装置に触れたことを示す情報を上記個人情報と共に受信したときに、上記認証手段によって当該ユーザが予め登録された共有者と判断された場合に当該ユーザをログインするための処理を実行する請求項８記載のシステム。
【請求項１５】
ユーザの身体に装着可能な機器本体を有する電子機器を用いた方法であって、
上記電子機器は、
上記機器本体の動きを検出するセンサと、
所定の範囲内で端末装置との間で無線通信を行う通信部とを備え、
上記センサの信号状態と上記通信手段の通信状態とに基づいて、ユーザの挙動に応じて上記端末装置の動作を制御する方法。
【請求項１６】
上記センサの信号状態に基づいてユーザの挙動を検出することと、
上記通信部の通信状態に基づいてユーザの上記端末装置に対する接近状態を検出することと、
ユーザが何かに触れた状態が検出され、かつ、ユーザが上記端末装置の近くにいることが検出された場合に、ユーザが触れている対象を上記端末装置であると判断し、上記端末装置のロック状態を解除させること、
を有する請求項１５記載の方法。
【請求項１７】
ユーザが現在位置から所定距離以上移動した状態が検出され、かつ、ユーザが上記端末装置の近くにいることが検出された場合に、ユーザが上記端末装置から離れたと判断し、上記端末装置の操作をロックさせること、
を有する請求項１５記載の方法。
【請求項１８】
上記電子機器は、
ユーザの個人情報を記憶した記憶部をさらに備え、
ユーザが何かに触れた状態が検出され、かつ、ユーザが上記端末装置の近くにいることが検出された場合に、ユーザが触れている対象を上記端末装置であると判断し、上記記憶部に記憶された上記個人情報を上記端末装置に送信し、当該ユーザに対応した処理を実行させること、
を有する請求項１５記載の方法。
【発明の詳細な説明】
【技術分野】
【０００１】
本発明の実施形態は、ユーザの身体に装着可能な電子機器と、この電子機器を用いたシステム及び方法に関する。
【背景技術】
【０００２】
一般的にパーソナルコンピュータ（以下、ＰＣと称す）には、他人による不正操作を防止するためにロック機能が備えられている。このロック機能は、入力操作が所定時間以上なかった場合に自動的に起動される。しかし、ロック機能を解除する場合には、その都度、例えばパスワードを入力するなどの面倒な操作が必要となる。また、複数のユーザが１台のＰＣを共有する場合のログイン機能についても同様であり、その都度、ログインするための個人情報の入力が必要となる。
【０００３】
一方、Ｂｌｕｅｔｏｏｔｈ（登録商標）機能を利用してユーザの持つ電子機器からＰＣへ情報を送って、ロック／アンロックやログイン／ログアウトの処理を実現するシステムがある。
【先行技術文献】
【特許文献】
【０００４】
【特許文献１】特開２００３−６０６３５号公報
【発明の概要】
【発明が解決しようとする課題】
【０００５】
しかしながら、Ｂｌｕｅｔｏｏｔｈ（登録商標）機能は、電波強度的に位置検知精度が悪い（１〜２ｍ程度の精度）。このため、例えばユーザがＰＣの近くにいるのにアンロックあるいはログインできないことがある。逆に、ユーザがＰＣから離れているのにロックあるいはログアウトできないことがある。
【０００６】
本発明の目的は、ユーザの挙動に応じて操作対象とする装置の動作を制御することのできる電子機器、システム及び方法を提供することである。
【課題を解決するための手段】
【０００７】
本実施形態に係る電子機器は、ユーザの身体に装着可能な機器本体を有する電子機器であって、上記機器本体の動きを検出するセンサと、所定の範囲内で端末装置との間で無線通信を行う通信手段と、上記センサの信号状態と上記通信手段の通信状態とに基づいて、ユーザの挙動に応じて上記端末装置の動作を制御する制御手段とを具備する。
【図面の簡単な説明】
【０００８】
【図１】図１は第１の実施形態に係るコンピュータ（端末装置）の外観構成を示す斜視図である。
【図２】図２は第１の実施形態におけるウェアラブル機器（電子機器）の外観構成を示す図である。
【図３】図３は第１の実施形態におけるコンピュータのシステム構成を示すブロック図である。
【図４】図４は第１の実施形態におけるウェアラブル機器のシステム構成を示すブロック図である。
【図５】図５は第１の実施形態におけるコンピュータによって実行される制御プログラムの構成を示す図である。
【図６】図６は第１の実施形態におけるウェアラブル機器によって実行される制御プログラムの構成を示す図である。
【図７】図７は第１の実施形態におけるコンピュータがロック中の状態を示す図である。
【図８】図８は第１の実施形態におけるコンピュータにユーザが触れた状態を示すずである。
【図９】図９は第１の実施形態におけるウェアラブル機器に設けられた３軸の加速度センサ５の信号波形を示す図である。
【図１０】図１０は第１の実施形態におけるウェアラブル機器とコンピュータの動作を示すフローチャートである。
【図１１】図１１は第２の実施形態におけるウェアラブル機器とコンピュータの動作を示すフローチャートである。
【図１２】図１２は第３の実施形態におけるウェアラブル機器とコンピュータの動作を示すフローチャートである。
【図１３】図１３は第４の実施形態におけるコンピュータのタッチパッドに設けられたジェスチャ機能を説明するための図である。
【図１４】図１４は第４の実施形態におけるコンピュータの条件登録時の動作を示すフローチャートである。
【図１５】図１５は第４の実施形態におけるウェアラブル機器とコンピュータの動作を示すフローチャートである。
【図１６】図１６は第５の実施形態におけるウェアラブル機器とコンピュータの動作を示すフローチャートである。
【図１７】図１７は第５の実施形態におけるコンピュータをユーザが使用中の状態を示す図である。
【図１８】図１８は第５の実施形態におけるコンピュータからユーザが離れた状態を示す図である。
【図１９】図１９は第６の実施形態におけるウェアラブル機器とコンピュータの動作を示すフローチャートである。
【図２０】図２０は第７の実施形態におけるウェアラブル機器とコンピュータの動作を示すフローチャートである。
【発明を実施するための形態】
【０００９】
以下、図面を参照して実施形態を説明する。
【００１０】
（第１の実施形態）
まず、図１を参照して、本実施形態に係る端末装置の構成について説明する。この端末装置は、ノートブックタイプのパーソナルコンピュータ、タブレット端末、または他の各種情報処理装置として実現される。以下では、この端末装置が、ノートブックタイプのパーソナルコンピュータ１０として実現されている場合を想定する。
【００１１】
図１は、ディスプレイユニットが開いた状態のコンピュータ１０を正面側から見た斜視図である。
【００１２】
コンピュータ１０は、コンピュータ本体１１と、ディスプレイユニット１２とを備える。ディスプレイユニット１２には、液晶表示装置（ＬＣＤ）３１が組み込まれている。さらに、ディスプレイユニット１２の上端部には、カメラ（Ｗｅｂカメラ）３２が配置されている。
【００１３】
ディスプレイユニット１２は、コンピュータ本体１１の上面が露出される開放位置とコンピュータ本体１１の上面がディスプレイユニット１２で覆われる閉塞位置との間を回動自在にコンピュータ本体１１に取り付けられている。コンピュータ本体１１は、薄い箱形の筐体を有している。コンピュータ本体１１の上面には、キーボード１３、タッチパッド１４、指紋センサ１５、電源スイッチ１６、複数の機能ボタン１７、スピーカ１８Ａ、１８Ｂが配置されている。
【００１４】
また、コンピュータ本体１１には、電源コネクタ２１が設けられている。電源コネクタ２１は、コンピュータ本体１１の側面、例えば左側面に設けられている。この電源コネクタ２１には、外部電源装置が取り外し自在に接続される。外部電源装置としては、ＡＣアダプタを用いることができる。ＡＣアダプタは、商用電源（ＡＣ電力）をＤＣ電力に変換する電源装置である。
【００１５】
バッテリ２０は、例えばコンピュータ本体１１の後端部に取り外し自在に装着される。バッテリ２０は、コンピュータ１０に内蔵されるバッテリであってもよい。
【００１６】
コンピュータ１０は、外部電源装置からの電力またはバッテリ２０からの電力によって駆動される。電源コネクタ２１に外部電源装置が接続されている状態では、コンピュータ１０は外部電源装置からの電力によって駆動される。また、外部電源装置からの電力は、バッテリ２０を充電するためにも用いられる。電源コネクタ２１に外部電源装置が接続されていない間は、コンピュータ１０はバッテリ２０からの電力によって駆動される。
【００１７】
さらに、コンピュータ本体１１には、複数のＵＳＢポート２２、ＨＤＭＩ（High-definition multimedia interface）（登録商標）出力端子２３、およびＲＧＢポート２４が設けられている。
【００１８】
ここで、本実施形態において、コンピュータ１０には、ＢＴモジュール４０が設けられている。ＢＴとは、Ｂｌｕｅｔｏｏｔｈ（登録商標）のことである。ＢＴモジュール４０は、所定の範囲内（数ｍ〜数十ｍ）で機器と機器との間で電波による近距離無線通信を実現するものである。なお、コンピュータ１０の詳細なシステム構成については図３を参照して後述する。
【００１９】
次に、本実施形態に係る電子機器として用いられるウェアラブル機器について説明する。なお、ウェアラブル機器は、携帯型の端末機器であり、「ウェアラブル端末」とも呼ばれる。
【００２０】
図２はウェアラブル機器１の外観構成を示す図である。
【００２１】
ウェアラブル機器１は、人体に装着可能な本体２を有する。ウェアラブル機器１の形態としては、例えばユーザの手首に着用可能な腕時計型（ブレスレット型）の機器、ディスプレイ等の表示部を有さない、ユーザの身体の一部に装着可能なシンプルな機器、眼鏡として使用できる眼鏡型の機器などがある。以下では、ウェアラブル機器１が、腕時計型（ブレスレット型）の機器によって実現されている場合を想定する。
【００２２】
ウェアラブル機器１は、ユーザの手の一部、具体的には右手あるいは左手の手首６に装着される。ウェアラブル機器１は、ディスプレイ３、ＢＴモジュール４、加速度センサ５を備えている。なお、ウェアラブル機器１の詳細なシステム構成については図４を参照して後述する。
【００２３】
ウェアラブル機器１は、コンピュータ１０との間でＢＴによるペアリングがなされている。ウェアラブル機器１は、バッテリによって駆動され、ウェアラブル機器１を装着しているユーザに対して様々な情報を提供する。ウェアラブル機器１は、ＢＴモジュール４を使用してウェアラブル機器１に格納されているデータと本コンピュータ１０に格納されているデータとを同期することができる。例えば、コンピュータ１０に格納されているユーザのスケジュールデータとウェアラブル機器１に格納されているユーザのスケジュールデータとを同期することができる。
【００２４】
また、ウェアラブル機器１は、ウェアラブル機器１のオーナーであるユーザに関係する様々な情報を提供する機能を有する。ユーザに関係する様々な情報とは、例えばスケジュール情報、天気情報、ウェアラブル機器１の位置情報、交通情報等である。
【００２５】
図３はコンピュータ１０のシステム構成を示すブロック図である。
【００２６】
コンピュータ１０は、ＣＰＵ１１１、システムコントローラ１１２、主メモリ１１３、グラフィクスプロセッシングユニット（ＧＰＵ）１１４、サウンドコーデック１１５、ＢＩＯＳ−ＲＯＭ１１６、ソリッドステートドライブ（ＳＳＤ）１１７を備える。さらに、コンピュータ１０は、ＢＴモジュール４０、無線ＬＡＮモジュール１２１、ＳＤカードコントローラ１２２、ＰＣＩ  ＥＸＰＲＥＳＳカードコントローラ１２３、エンベデッドコントローラ／キーボードコントローラＩＣ（ＥＣ／ＫＢＣ）１３０、電源コントローラ（ＰＳＣ）１４１、電源回路１４２等を備えている。
【００２７】
ＣＰＵ１１１は、コンピュータ１０の各コンポーネントの動作を制御するプロセッサである。このＣＰＵ１１１は、ＳＳＤ１１７から主メモリ１１３にロードされる各種ソフトウェアを実行する。このソフトウェアは、オペレーティングシステム（ＯＳ）２０１および制御プログラム２０２を含む。
【００２８】
制御プログラム２０２は、ウェアラブル機器１と連携して、各種機能を提供するためのプログラムである。例えば、制御プログラム２０２は、無線通信を使用して本コンピュータ１０とウェアラブル機器１との間のデータ同期を行う機能、コンピュータ１０のロック／アンロックを制御する機能、タッチパッド１４の有効／無効を制御する機能等を実行することができる。
【００２９】
また、ＣＰＵ１１１は、不揮発性メモリであるＢＩＯＳ−ＲＯＭ１１６に格納された基本入出力システム（ＢＩＯＳ）も実行する。ＢＩＯＳはハードウェア制御のためのシステムプログラムである。
【００３０】
ＧＰＵ１１４は、コンピュータ１０のディスプレイモニタとして使用されるＬＣＤ３１を制御する表示コントローラである。ＧＰＵ１１４は、ビデオメモリ（ＶＲＡＭ）１１４Ａに格納された表示データからＬＣＤ３１に供給すべき表示信号（ＬＶＤＳ信号）を生成する。さらに、ＧＰＵ１１４は、表示データからアナログＲＧＢ信号およびＨＤＭＩビデオ信号を生成することもできる。アナログＲＧＢ信号はＲＧＢポート２４を介して外部ディスプレイに供給される。
【００３１】
ＨＤＭＩ出力端子２３は、ＨＤＭＩビデオ信号（非圧縮のデジタル映像信号）と、デジタルオーディオ信号とを一本のケーブルで外部ディスプレイに送出することができる。ＨＤＭＩ制御回路１１９は、ＨＤＭＩビデオ信号およびデジタルオーディオ信号をＨＤＭＩ出力端子２３を介して外部ディスプレイに送出するためのインタフェースである。
【００３２】
システムコントローラ１１２は、ＣＰＵ１１１と各コンポーネントとの間を接続するブリッジデバイスである。システムコントローラ１１２は、ＳＳＤ１１７を制御するためのシリアルＡＴＡコントローラを内蔵している。さらに、システムコントローラ１１２は、ＬＰＣ（Ｌｏｗ ＰＩＮ Ｃｏｕｎｔ）バス上の各デバイスとの通信を実行する。
【００３３】
ＥＣ／ＫＢＣ１３０は、ＬＰＣバスに接続されている。ＥＣ／ＫＢＣ１３０、電源コントローラ（ＰＳＣ）１４１、およびバッテリ２０は、Ｉ２Ｃバスのようなシリアルバスを介して相互接続されている。
【００３４】
ＥＣ／ＫＢＣ１３０は、コンピュータ１０の電力管理を実行するための電力管理コントローラである。ＥＣ／ＫＢＣ１３０は、例えばキーボード（ＫＢ）１３およびタッチパッド１４などを制御するキーボードコントローラを内蔵したワンチップマイクロコンピュータとして実現されている。
【００３５】
ＥＣ／ＫＢＣ１３０は、ユーザによる電源スイッチ１６の操作に応じてコンピュータ１０をパワーオンおよびパワーオフする機能を有している。コンピュータ１０のパワーオンおよびパワーオフの制御は、ＥＣ／ＫＢＣ１３０と電源コントローラ（ＰＳＣ）１４１との協働動作によって実行される。ＥＣ／ＫＢＣ１３０から送信されるＯＮ信号を受けると、電源コントローラ（ＰＳＣ）１４１は電源回路１４２を制御してコンピュータ１０をパワーオンする。また、ＥＣ／ＫＢＣ１３０から送信されるＯＦＦ信号を受けると、電源コントローラ（ＰＳＣ）１４１は電源回路１４２を制御してコンピュータ１０をパワーオフする。ＥＣ／ＫＢＣ１３０、電源コントローラ（ＰＳＣ）１４１、および電源回路１４２は、コンピュータ１０がパワーオフされている期間中も、バッテリ２０またはＡＣアダプタ１５０からの電力によって動作する。
【００３６】
電源回路１４２は、バッテリ２０からの電力、またはコンピュータ本体１１に外部電源として接続されるＡＣアダプタ１５０からの電力を用いて、各コンポーネントへ供給すべき電力（動作電源）を生成する。
【００３７】
図４はウェアラブル機器１のシステム構成を示すブロック図である。
【００３８】
ウェアラブル機器１は、システムコントローラ９１、メモリ９２、時計モジュール９３、ＢＴモジュール４、センサハブ９４、ＥＣ１０２、電源回路１０３等を備える。
【００３９】
システムコントローラ９１は、ウェアラブル機器１内の各部の動作を制御するプロセッサである。システムコントローラ９１は、メモリ９２にロードされるオペレーティングシステム（ＯＳ）１００、制御プログラム１０１を実行する。
【００４０】
制御プログラム１０１は、コンピュータ１０と連携して各種機能を提供するためのプログラムである。例えば、制御プログラム１０１は、コンピュータ１０とウェアラブル機器１との間のデータ同期を行う。
【００４１】
また、システムコントローラ９１は、メモリ９２をアクセス制御するメモリコントローラも内蔵されている。システムコントローラ９１は、ウェアラブル機器１のディスプレイ３を制御する表示コントローラを内蔵していてもよい。
【００４２】
時計モジュール９３は、現在時刻を計時するモジュールである。センサハブ９４には、動き検出センサとして加速度センサ５が接続されている。この加速度センサ５により、ウェアラブル機器１の本体２の動きつまりウェアラブル機器１を装着したユーザの挙動を検出することができる。
【００４３】
ＢＴモジュール４は、ＢＴによる近距離無線通信を実現するデバイスである。本実施形態において、このＢＴモジュール４は、コンピュータ１０に設けられたＢＴモジュール４０との間でペアリング済みである。
【００４４】
ＥＣ１０２は、ウェアラブル機器１の電力管理を実行するための電力管理コントローラである。ＥＣ１０２及び電源回路１０３は、ウェアラブル機器１がパワーオフされている期間中も、バッテリ７０からの電力によって動作する。電源回路１０３は、バッテリ７０からの電力から供給される電力を用いて、各コンポーネントへ供給すべき電力（動作電源）を生成する。
【００４５】
図５はコンピュータ１０によって実行される制御プログラム２０２の構成を示す図である。
【００４６】
制御プログラム２０２には、ＢＴモジュール４０を通じてウェアラブル機器１からの情報を受信し、その情報に応じた処理を実行するためのプログラムが含まれる。詳しくは、制御プログラム２０２は、処理実行部２０２ａを実現するためのプログラムを含む。
【００４７】
処理実行部２０２ａは、ウェアラブル機器１からユーザがコンピュータ１０に触れたことを示すタッチ情報を受信したときに、コンピュータ１０のロック状態を解除するための処理を実行する。
【００４８】
図６はウェアラブル機器１によって実行される制御プログラム１０２の構成を示す図である。
【００４９】
制御プログラム１０１には、加速度センサ５の信号状態とＢＴモジュール４の通信状態とに基づいて、ユーザの挙動に応じてコンピュータ１０の動作を制御するためのプログラムが含まれる。
【００５０】
詳しくは、制御プログラム１０１は、挙動検出部１０２ａ、接近検出部１０２ｂ、端末制御部１０１ｃを実現するためのプログラムを含む。挙動検出部１０２ａは、加速度センサ５の信号状態に基づいてユーザの挙動を検出する。このユーザの挙動には、ユーザがコンピュータ１０に触れる動作、コンピュータ１０から離れる動作などが含まれる。接近検出部１０２ｂは、ＢＴモジュール４の通信状態に基づいてユーザのコンピュータ１０に対する接近状態を検出する。この場合、ＢＴモジュール４によってコンピュータ１０と通信可能な状態であれば、ユーザがコンピュータ１０の近くにいるものと判断される。
【００５１】
端末制御部１０１ｃは、挙動検出部１０２ａによってユーザが何かに触れた状態が検出され、かつ、接近検出部１０２ｂによってユーザがコンピュータ１０の近くにいることが検出された場合に、ユーザが触れている対象をコンピュータ１０であると判断し、ユーザがコンピュータ１０に触れたことを示すタッチ情報をＢＴモジュール４から送信する。
【００５２】
ここで、本システムの動作を説明する前に、ウェアラブル機器１を用いてコンピュータ１０のロック状態を解除する方法について説明する。
【００５３】
図７はコンピュータ１０がロック中の状態を示す。このとき、ユーザはコンピュータ１０から離れている。図８はコンピュータ１０にユーザが触れた状態を示す。この例では、ユーザがコンピュータ１０のタッチパッド１４に触れている。
【００５４】
コンピュータ１０とウェアラブル機器１は、ＢＴ機能により互いに認証済み（ペアリング済み）である。また、ウェアラブル機器１には、少なくともｘ，ｙ，ｚ方向の動きを検知可能な３軸の加速度センサ５が設けられている。ユーザがウェアラブル機器１を装着すると、ユーザの挙動に応じた本体２の動きが加速度センサ５で検出される。特に、ユーザの手首６にウェアラブル機器１の本体２を装着した場合には、手首６の動きを加速度センサ５の信号パターンから読み取ることができる。
【００５５】
また、ウェアラブル機器１にはＢＴ機能（ＢＴモジュール４）が備えられているので、ユーザがコンピュータ１０に接近している状態をＢＴの通信状態から判断できる。したがって、加速度センサ５によってユーザが「何かに触れた」ことが検出され、かつ、ＢＴモジュール４によってユーザが「コンピュータ１０に接近している」ことが検出された場合に、ユーザが触れた対象がコンピュータ１０であると判断できる。
【００５６】
ウェアラブル機器１は、ユーザがコンピュータ１０に触れたと判断すると、その旨を示すタッチ情報をＢＴモジュール４によりコンピュータ１０に送る。コンピュータ１０では、このタッチ情報をＢＴモジュール４０にて受信したときにロック状態を解除する。
【００５７】
一般的に、コンピュータ１０は、予め設定された時間を経過しても入力操作を検出しない場合にロック状態になる機能を備えている。通常、このロック状態を解除するためには、ユーザがパスワードを入力するなどの面倒な操作が必要となる。本システムを利用すれば、ユーザがコンピュータ１０に触れるだけでロック状態を解除できる。
【００５８】
図９はウェアラブル機器１に設けられた３軸の加速度センサ５の信号波形を示す図である。図中のＸはｘ軸の信号、Ｙはｙ軸の信号、Ｚはｚ軸の信号を表している。
【００５９】
ユーザが手を動かすと、加速度センサ５から出力される３軸の信号に変化が表される。いま、ｚ軸（鉛直方向）の信号変化に着目する。Ｐ１はユーザがコンピュータ１０の手前で手を少し動かしたときの状態、Ｐ２はユーザがコンピュータ１０に触れたときの状態、Ｐ３はユーザがパームレフトに手を置いたときの状態を表している。ユーザがコンピュータ１０に触れたときに、ｚ軸の信号が瞬時的に所定レベル以上に変化することが分かる。
【００６０】
ｘ軸の信号やｙ軸の信号でも同様であり、ユーザがコンピュータ１０に触れたときに変化する。したがって、加速度センサ５の各信号の変化のパターンを解析すれば、ユーザが「何かに触れた」ことが分かる。このとき、ＢＴの通信状態と合わせれば、ユーザが触れた対象がコンピュータ１０であることを特定できる。
【００６１】
以下に、本システムの動作について説明する。  
図１０は第１の実施形態におけるウェアラブル機器１とコンピュータ１０の動作を示すフローチャートである。なお、各フローチャートにおいて、ウェアラブル機器１側の処理は、システムコントローラ９１がメモリ９２に格納された制御プログラム１０１に含まれる本機能のプログラムを読み込むことにより実行される。コンピュータ１０側の処理は、ＣＰＵ１１１が主メモリ１１３に格納された制御プログラム２０２に含まれる本機能のプログラムを読み込むことにより実行される。
【００６２】
ユーザは手首６にウェアラブル機器１を装着した状態で行動している。ウェアラブル機器１のシステムコントローラ９１は、加速度センサ５から出力される３軸の信号を監視している（ステップＡ１１）。
【００６３】
ここで、ユーザが何かに触れたときに生じる特定の信号パターンが検出されると（ステップＡ１２のＹＥＳ）、システムコントローラ９１は、ＢＴモジュール４の通信状態を確認する（ステップＡ１３）。コンピュータ１０と通信可能な状態にあれば（ステップＡ１４のＹＥＳ）、システムコントローラ９１は、ユーザがコンピュータ１０に触れているものと判断し（ステップＡ１５）、タッチ情報をＢＴモジュール４によりコンピュータ１０に送信する（ステップＡ１６）。
【００６４】
一方、コンピュータ１０側では、所定時間以上経過しても入力操作がない場合にロック状態に設定される（ステップＢ１１）。「ロック状態」とは、コンピュータ１０に対する入力操作を受け付けない状態にすることである。このとき、例えば表示画面もスクリーンセーバ等により隠された状態になる。
【００６５】
ここで、コンピュータ１０のＣＰＵ１１１は、ウェアラブル機器１から送られてきたユーザのタッチ情報をＢＴモジュール４０にて受信すると（ステップＢ１２のＹＥＳ）、ロック状態を解除してコンピュータ１０を使用可能な状態に設定する（ステップＢ１３）。
【００６６】
このように第１の実施形態によれば、ウェアラブル機器１によってユーザの挙動が検出され、ユーザがコンピュータ１０に触れたときにタッチ情報がＢＴモジュール４により送信される。これにより、ユーザがロック解除のための面倒な操作しなくとも、コンピュータ１０側ではユーザの存在を認識して、ロック状態を解除して使用可能な状態に設定できる。一方、ウェアラブル機器１を装着していない他人がコンピュータ１０に触れても、ロック状態は解除されないので、コンピュータ１０のセキュリティを損ないことはない。
【００６７】
なお、図１０のフローチャートでは、加速度センサ５の信号状態を検出してからＢＴモジュール４０の通信状態を検出したが（Ａ１１→Ａ１２→Ａ１３→Ａ１４）、ＢＴモジュール４０の通信状態を検出してから加速度センサ５の信号状態を検出することでも良い（Ａ１３→Ａ１４→Ａ１１→Ａ１２）。
【００６８】
（第２の実施形態）
次に、第２の実施形態について説明する。
【００６９】
第２の実施形態では、上記第１の実施形態の構成に加え、コンピュータ１０側でＢＴのシグナル強度を確認する機能を設けたものである。
【００７０】
図１１は第２の実施形態におけるウェアラブル機器１とコンピュータ１０の動作を示すフローチャートである。なお、図１１において、ウェアラブル機器１側の処理は上記第１の実施形態における図１０の処理と同様である。
【００７１】
すなわち、加速度センサ５の信号状態とＢＴモジュール４の通信状態に基づいて、ユーザがコンピュータ１０に触れている状態が検出されると（ステップＡ１１〜Ａ１５）、ウェアラブル機器１からコンピュータ１０に対してユーザのタッチ情報が送信される（ステップＡ１６）。
【００７２】
一方、コンピュータ１０側では、所定時間以上経過しても入力操作がない場合にロック状態に設定される（ステップＣ１１）。コンピュータ１０のＣＰＵ１１１は、ウェアラブル機器１から送られてきたユーザのタッチ情報をＢＴモジュール４０にて受信すると（ステップＣ１２のＹＥＳ）、ＢＴモジュール４０にて検知されている現在のシグナル強度を確認する（ステップＣ１３）。
【００７３】
一定レベル以上のシグナル強度を確認できれば（ステップＣ１３のＹＥＳ）、ＣＰＵ１１１は、ウェアラブル機器１から受信したユーザのタッチ情報に従って、ロック状態を解除してコンピュータ１０を使用可能な状態に設定する（ステップＣ１４）。
【００７４】
このように第２の実施形態によれば、コンピュータ１０側でＢＴのシグナル強度を確認した上でロック状態を解除する。したがって、例えばユーザがコンピュータ１０から離れた場所にいるときに誤ってロック状態を解除することを防ぐことができる。
【００７５】
（第３の実施形態）
次に、第３の実施形態について説明する。
【００７６】
第３の実施形態では、上記第１の実施形態の構成に加え、コンピュータ１０側でユーザの入力操作を確認する機能を設けたものである。
【００７７】
図１２は第３の実施形態におけるウェアラブル機器１とコンピュータ１０の動作を示すフローチャートである。なお、図１２において、ウェアラブル機器１側の処理は上記第１の実施形態における図１０の処理と同様である。
【００７８】
すなわち、加速度センサ５の信号状態とＢＴモジュール４の通信状態に基づいて、ユーザがコンピュータ１０に触れている状態が検出されると（ステップＡ１１〜Ａ１５）、ウェアラブル機器１からコンピュータ１０に対してユーザのタッチ情報が送信される（ステップＡ１６）。
【００７９】
一方、コンピュータ１０側では、所定時間以上経過しても入力操作がない場合にロック状態に設定される（ステップＤ１１）。コンピュータ１０のＣＰＵ１１１は、ウェアラブル機器１から送られてきたユーザのタッチ情報をＢＴモジュール４０にて受信すると（ステップＤ１２のＹＥＳ）、入力操作の有無を確認する（ステップＤ１３）。この「入力操作」には、キーボード１３の操作の他、タッチパッド１４に対するタッチ操作なども含まれる。
【００８０】
入力操作を確認できれば（ステップＤ１３のＹＥＳ）、ＣＰＵ１１１は、ウェアラブル機器１から受信したユーザのタッチ情報に従って、ロック状態を解除してコンピュータ１０を使用可能な状態に設定する（ステップＤ１４）。
【００８１】
このように第３の実施形態によれば、コンピュータ１０側で入力操作の状態を確認した上でロック状態を解除する。したがって、例えばユーザがコンピュータ１０から離れた場所にいるときに誤ってロック状態を解除することを防ぐことができる。
【００８２】
（第４の実施形態）
次に、第４の実施形態について説明する。
【００８３】
第４の実施形態では、上記第１の実施形態の構成に加え、コンピュータ１０側で所定の文字入力を確認する機能を設けたものである。図１３に示すように、コンピュータ１０のタッチパッド１４には文字を認識するためのジェスチャ機能が備えられている。コンピュータ１０は、ウェアラブル機器１からユーザのタッチ情報を受信したときに、タッチパッド１４上に所定の文字（この例では「Ｚ」）の入力を確認できたときにロック状態を解除する。
【００８４】
以下に、第４の実施形態の動作について、（ａ）条件登録時、（ｂ）ＰＣ操作時に分けて詳しく説明する。
【００８５】
（ａ）条件登録時
図１４は第４の実施形態におけるコンピュータ１０の条件登録時の動作を示すフローチャートである。このフローチャートで示される処理は、コンピュータ１０のＣＰＵ１１１が主メモリ１１３に格納された制御プログラム２０２に含まれる本機能のプログラムを読み込むことにより実行される。
【００８６】
コンピュータ１０の操作により条件登録モードが設定される（ステップＥ１１）。ここで、ユーザがコンピュータ１０のタッチパッド１４上で指を動かして任意の文字を描くと、タッチパッド１４に備えられたジェスチャ機能により当該文字が認識される（ステップＥ１２）。ＣＰＵ１１１は、このときに認識された文字をユーザ条件としてメモリ９２の所定のエリアに登録する（ステップＥ１３）。例えば、ユーザが「Ｚ」という文字をタッチパッド１４上に描いたとすると、ユーザ条件として「Ｚ」の文字が登録されることになる。
【００８７】
（ｂ）ＰＣ操作時
図１５は第４の実施形態におけるウェアラブル機器１とコンピュータ１０の動作を示すフローチャートである。なお、図１５において、ウェアラブル機器１側の処理は上記第１の実施形態における図１０の処理と同様である。
【００８８】
すなわち、加速度センサ５の信号状態とＢＴモジュール４の通信状態に基づいて、ユーザがコンピュータ１０に触れている状態が検出されると（ステップＡ１１〜Ａ１５）、ウェアラブル機器１からコンピュータ１０に対してユーザのタッチ情報が送信される（ステップＡ１６）。
【００８９】
一方、コンピュータ１０側では、所定時間以上経過しても入力操作がない場合にロック状態に設定される（ステップＦ１１）。コンピュータ１０のＣＰＵ１１１は、ウェアラブル機器１から送られてきたユーザのタッチ情報をＢＴモジュール４０にて受信すると（ステップＦ１２のＹＥＳ）、タッチパッド１４上に所定の文字が入力されたか否かを判断する（ステップＦ１３）。ここで言う「所定の文字」とは、図１４で説明したユーザ条件として登録された文字のことであり、例えば「Ｚ」の文字である。
【００９０】
所定の文字が入力された場合には（ステップＦ１３のＹＥＳ）、ＣＰＵ１１１は、ウェアラブル機器１から受信したユーザのタッチ情報に従って、ロック状態を解除してコンピュータ１０を使用可能な状態に設定する（ステップＦ１４）。
【００９１】
このように第４の実施形態によれば、コンピュータ１０側で予め登録された文字の入力を確認できた場合にロック状態を解除する。したがって、例えば他人がウェアラブル機器１を利用してコンピュータ１０に触れたとしても、ロック状態を維持することができる。
【００９２】
（第５の実施形態）
次に、第５の実施形態について説明する。
【００９３】
第５の実施形態では、上記第４の実施形態の構成に加え、ウェアラブル機器１側にも文字入力を確認する機能を設けたものである。ウェアラブル機器１とコンピュータ１０の両方で所定の文字の入力を確認できた場合にコンピュータ１０のロック状態が解除される。
【００９４】
この場合、ウェアラブル機器１側でも、図１４で説明したような条件登録が必要である。すなわち、ユーザはウェアラブル機器１を手首２に装着した状態で、コンピュータ１０のタッチパッド１４上に任意の文字を描く。このときのユーザの動きに対応したウェアラブル機器１の動きが加速度センサ５によって検出される。
【００９５】
ウェアラブル機器１は、このウェアラブル機器１の動きの軌跡からユーザが描いた文字を認識し、その文字をユーザ起動条件としてメモリ９２の所定のエリアに登録する。図１３の例では、コンピュータ１０とウェアラブル機器１の両方にユーザ条件として「Ｚ」の文字が登録されることになる。
【００９６】
図１６は第５の実施形態におけるウェアラブル機器１とコンピュータ１０の動作を示すフローチャートである。なお、図１６において、ウェアラブル機器１側のステップＧ１１〜Ｇ１５までの処理は上記第１の実施形態における図１０のステップＡ１１〜Ａ１５の処理と同様である。すなわち、加速度センサ５の信号状態とＢＴモジュール４の通信状態に基づいて、ユーザがコンピュータ１０に触れている状態が検出される（ステップＧ１１〜Ｇ１５）。
【００９７】
ここで、第５の実施形態において、ウェアラブル機器１のシステムコントローラ９１は、加速度センサ５によって予めユーザ条件として登録された文字（例えば、「Ｚ」）に対応した動きを検出した場合に（ステップＧ１６のＹＥＳ）、コンピュータ１０に対してタッチ情報を送信する（ステップＧ１７）。
【００９８】
一方、コンピュータ１０側では、所定時間以上経過しても入力操作がない場合にロック状態に設定される（ステップＨ１１）。コンピュータ１０のＣＰＵ１１１は、ウェアラブル機器１から送られてきたユーザのタッチ情報をＢＴモジュール４０にて受信すると（ステップＨ１２のＹＥＳ）、タッチパッド１４上に予めユーザ条件として登録された文字が入力されたか否かを判断する（ステップＨ１３）、
ユーザ条件として登録された文字の入力があれば（ステップＨ１３のＹＥＳ）、ＣＰＵ１１１は、ウェアラブル機器１から受信したユーザのタッチ情報に従って、ロック状態を解除してコンピュータ１０を使用可能な状態に設定する（ステップＨ１４）。
【００９９】
このように第５の実施形態によれば、ウェアラブル機器１とコンピュータ１０の両方で予め登録された文字の入力が確認された場合のみロック状態が解除される。したがって、上記第４の実施形態の構成よりもコンピュータ１０のセキュリティをさらに強化することができる。
【０１００】
（第６の実施形態）
次に、第６の実施形態について説明する。
【０１０１】
上記第１〜第５の実施形態では、ウェアラブル機器１を用いてコンピュータ１０のロック状態を解除する方法について説明した。第６の実施形態では、ウェアラブル機器１を用いてコンピュータ１０のロックする方法について説明する。
【０１０２】
図１７はコンピュータ１０をユーザが使用中の状態を示している。図１８はコンピュータ１０からユーザが離れた状態を示している。
【０１０３】
ユーザはウェアラブル機器１を手首６に装着している。ウェアラブル機器１にはＢＴモジュール４と加速度センサ５が設けられており、ユーザの挙動は加速度センサ５によって検出される。この場合、図１７に示すように、ユーザがコンピュータ１０を使用中の状態では、加速度センサ５から出力される３軸の信号は比較的安定している。
【０１０４】
図１８に示すように、ユーザがコンピュータ１０から離れた場合、そのときの動きが加速度センサ５の信号変化として表れる。そこで、加速度センサ５によってユーザが現在位置から移動したことが検出され、かつ、ＢＴモジュール４によってコンピュータ１０との間で通信可能な状態が検出されていれば、ユーザがコンピュータ１０から離れたものと判断する。この場合、ユーザがコンピュータ１０の近くに移動しただけで直ぐに戻ってくることを考慮して、加速度センサ５によってユーザが所定距離（例えば５歩程度）以上移動したことを検出するものとする。
【０１０５】
ウェアラブル機器１は、ユーザがコンピュータ１０から離れ、所定距離以上移動したものと判断すると、その旨を示す離間情報をＢＴモジュール４によりコンピュータ１０に送信する。コンピュータ１０は、この離間情報を受け取れると、ユーザの入力操作の状態を確認する。ユーザの入力操作がなく、ウェアラブル機器１の認識と一致すれば、コンピュータ１０は、ユーザが離れたものと判断し、ロック処理を実行する。
【０１０６】
一般的に、コンピュータ１０のロック機能は、予め設定された時間内に入力操作がない場合に起動される。これに対し、本システムでは、ユーザがコンピュータ１０を離れたことを検知して自動的にロックするので、ロック設定のための操作は不要となる。
【０１０７】
以下に、本システムの動作について説明する。
【０１０８】
図１９は第６の実施形態におけるウェアラブル機器１とコンピュータ１０の動作を示すフローチャートである。
【０１０９】
ユーザは手首６にウェアラブル機器１を装着した状態で行動している。ウェアラブル機器１のシステムコントローラ９１は、加速度センサ５から出力される３軸の信号を監視している（ステップＩ１１）。
【０１１０】
図１７および図１８で説明したように、ユーザがコンピュータ１０を使用中の状態では、加速度センサ５から出力される３軸の信号は比較的安定している。また、ユーザがコンピュータ１０から離れた場合、そのときの動きが加速度センサ５の信号変化として表れる。
【０１１１】
ここで、加速度センサ５の信号変化によりユーザが現在位置から所定距離以上移動した状態が検出されると（ステップＩ１２のＹＥＳ）、システムコントローラ９１は、ＢＴモジュール４の通信状態を確認する（ステップＩ１３）。その結果、コンピュータ１０と通信可能な状態にあれば（ステップＩ１４のＹＥＳ）、システムコントローラ９１は、ユーザがコンピュータ１０から離れたものと判断し（ステップＩ１５）、ＢＴモジュール４によりユーザの離間情報をコンピュータ１０に送信する（ステップＩ１６）。
【０１１２】
なお、上記ステップＩ１２において、ユーザの移動が所定距離以下であった場合には、ユーザがコンピュータ１０に近くにいて直ぐに戻るものと考えられる。また、上記ステップＩ１４において、コンピュータ１０と通信不可の状態にあれば、ユーザがコンピュータ１０を使用中ではなく、別の場所にいると考えられる。
【０１１３】
一方、コンピュータ１０のＣＰＵ１１１は、ウェアラブル機器１から送られてきたユーザの離間情報をＢＴモジュール４０にて受信すると（ステップＪ１１のＹＥＳ）、入力操作があるか否かを判断する（ステップＪ１２）。この「入力操作」には、キーボード１３の操作の他、タッチパッド１４に対するタッチ操作なども含まれる。
【０１１４】
入力操作がなければ（ステップＪ１２のＹＥＳ）、ＣＰＵ１１１は、ウェアラブル機器１から受信したユーザの離間情報に従って、コンピュータ１０をロックして使用不可の状態に設定する（ステップＪ１３）。
【０１１５】
このように第６の実施形態によれば、ユーザがコンピュータ１０から離れたときにコンピュータ１０の操作をロックしてセキュリティを守ることができる。
【０１１６】
（第７の実施形態）
次に、第７の実施形態について説明する。
【０１１７】
１台のコンピュータ１０を複数のユーザが共有する場合には、ユーザ毎に認証を行う必要がある。一般的には、ユーザ毎に固有のＩＤやパスワードを入力して、コンピュータ１０にログインするといった操作が必要となる。第７の実施形態では、このようなユーザの個人認証を前提とする。
【０１１８】
ウェアラブル機器１とコンピュータ１０の基本的な構成は上記第１乃至第６の実施形態と同様である。ただし、ウェアラブル機器１側では、図４に示すメモリ９２に予め登録されたユーザの個人情報（ＩＤ，パスワード等）が記憶されている。この個人情報は、ＯＳ１００上で管理されている。また、コンピュータ１０側では、図３に示す主メモリ１１３に予めＰＣ共有者として登録された各ユーザの個人情報（ＩＤ，パスワード等）が記憶されている。これらの個人情報は、ＯＳ２０１上で管理されている。
【０１１９】
以下に、本システムの動作について説明する。
【０１２０】
図２０は第７の実施形態におけるウェアラブル機器１とコンピュータ１０の動作を示すフローチャートである。なお、図２０において、ウェアラブル機器１側のステップＫ１１〜Ｋ１５までの処理は上記第１の実施形態における図１０のステップＡ１１〜Ａ１５の処理と同様である。すなわち、加速度センサ５の信号状態とＢＴモジュール４の通信状態に基づいて、ユーザがコンピュータ１０に触れている状態が検出される（ステップＫ１１〜Ｋ１５）。
【０１２１】
ここで、第７の実施形態において、ウェアラブル機器１のシステムコントローラ９１は、メモリ９２からユーザの個人情報（ＩＤ，パスワード等）を読み出す（ステップＫ１６）。この個人情報は、ウェアラブル機器１の使用者であるユーザが予め所定の操作により登録済みである。システムコントローラ９１は、この個人情報をユーザのタッチ情報と共にＢＴモジュール４によりコンピュータ１０に送信する（ステップＫ１７）。
【０１２２】
一方、コンピュータ１０のＣＰＵ１１１は、ウェアラブル機器１からユーザのタッチ情報＋個人情報をＢＴモジュール４０にて受信すると（ステップＬ１１のＹＥＳ）、その受信した個人情報を用いてユーザの個人認証を行う（ステップＬ１２）。詳しくは、ＣＰＵ１１１は、上記受信したユーザの個人情報と主メモリ１１３に予めＰＣ共有者として登録された各ユーザの個人情報とを照合する。上記受信したユーザの個人情報が主メモリ１１３内に存在すれば、ＣＰＵ１１１は、当該ユーザがＰＣ共有者であると判定する（ステップＬ１３のＹＥＳ）。
【０１２３】
ここで、ＣＰＵ１１１は、他のユーザがログイン中であるか否かを判断する（ステップＬ１４）。他のユーザがログイン中でなければ（ステップＬ１４のＮＯ）、ＣＰＵ１１１は、上記ステップＬ１２で認証したユーザをコンピュータ１０にログインし（ステップＬ１５）、当該ユーザの指示に従った処理を実行する（ステップＬ１７）。
【０１２４】
また、他のユーザがログイン中であれば（ステップＬ１４のＹＥＳ）、ＣＰＵ１１１は、上記ステップＬ１２で認証したユーザがコンピュータ１０にログインできるようにアンロックしてから（ステップＬ１６）、当該ユーザの指示に従った処理を実行する（ステップＬ１７）。
【０１２５】
このように第７の実施形態によれば、１台のコンピュータ１０を複数のユーザが共有する場合でも、ユーザがコンピュータ１０に触れるだけで、そのユーザを認証した上でコンピュータ１０を操作できる状態に移行することができる。
【０１２６】
以上述べた少なくとも１つの実施形態によれば、ユーザの挙動に応じて操作対象とする装置の動作を制御することのできる電子機器、システム及び方法を提供することができる。
【０１２７】
なお、上記各実施形態では、ユーザの挙動を検出するためのセンサとして加速度センサを用いたが、例えばジャイロセンサなどの他の動き検出センサを併用してユーザの挙動を検出しても良い。
【０１２８】
要するに、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２９】
１…ウェアラブル機器、２…本体、３…ディスプレイ、４…ＢＴモジュール、５…加速度センサ、６…ユーザの手首、１０…コンピュータ、１１…コンピュータ本体、１２…ディスプレイユニット、１３…キーボード、１４…タッチパッド、１５…指紋センサ、１６…電源スイッチ、１７…複数の機能ボタン、１８Ａ，１８Ｂ…スピーカ、２０…バッテリ、２１…電源コネクタ、２２…複数のＵＳＢポート、２３…ＨＤＭＩ出力端子、２４…ＲＧＢポート、４０…ＢＴモジュール、９１…システムコントローラ、９２…メモリ、９３…時計モジュール、９４…センサハブ、１００…ＯＳ、１０１…制御プログラム、１０２…ＥＣ、１０３…電源回路、１１１…ＣＰＵ、１１２…システムコントローラ、１１３…主メモリ、２０１…ＯＳ、２０２…制御プログラム
【図１】
2015172884.tif 000003
【図２】
2015172884.tif 000004
【図３】
2015172884.tif 000005
【図４】
2015172884.tif 000006
【図５】
2015172884.tif 000007
【図６】
2015172884.tif 000008
【図７】
2015172884.tif 000009
【図８】
2015172884.tif 000010
【図９】
2015172884.tif 000011
【図１０】
2015172884.tif 000012
【図１１】
2015172884.tif 000013
【図１２】
2015172884.tif 000014
【図１３】
2015172884.tif 000015
【図１４】
2015172884.tif 000016
【図１５】
2015172884.tif 000017
【図１６】
2015172884.tif 000018
【図１７】
2015172884.tif 000019
【図１８】
2015172884.tif 000020
【図１９】
2015172884.tif 000021
【図２０】
2015172884.tif 000022